(57)【要約】【課題】  水平方向よりも鉛直方向にスペースをとることによるレイアウト自由度の悪化を回避しつつ、ボトル部１０１Ｙのガタツキに起因する駆動モータの負荷変動をより確実に抑えることができるトナーカートリッジを提供する。【解決手段】  駆動受入ギヤ１１１Ｙをボトル部１０１Ｙの先端部に設けるとともに、前記先端部の回転周面を覆う周面覆い部たるキャップ部１０５Ｙをホルダー部１０２Ｙに設け、前記先端部における駆動受入ギヤ１１１Ｙの配設箇所よりも後端側の箇所と、キャップ部１０５Ｙの内周面との突き当たりにより、ボトル部１０１Ｙの回転軸線方向と直交する方向への移動を規制させるようにし、且つ、キャップ部１０５Ｙに設けたギヤ露出用開口Ａから、駆動受入ギヤ１１１Ｙを部分的に露出させた。【選択図】  図７
2006084755.tif 000002
【特許請求の範囲】
【請求項１】
トナーを収容するためのトナー収容器と、該トナー収容器の先端部に形成された開口を覆うように該トナー収容器に対して回転自在に係合する回転係合部材と、回転駆動される原動側ギヤの回転駆動力を受け入れるように該トナー収容器の回転周面に設けられた駆動受入ギヤとを有し、該トナー収容器の回転に伴って該トナー収容器内のトナーを該開口から該回転係合部材内に送り込んだ後、該回転係合部材外に排出するトナーカートリッジにおいて、
上記駆動受入ギヤを上記トナー収容器の上記先端部に設けるとともに、該先端部の回転周面を覆う周面覆い部を上記回転係合部材に設け、該先端部における該駆動受入ギヤの配設箇所よりも後端側の箇所と、該周面覆い部の内周面との突き当たりにより、該トナー収容器の回転軸線方向と直交する方向への移動を規制させるようにし、且つ、該覆い部に設けたギヤ露出用開口から、上記駆動受入ギヤを部分的に露出させたことを特徴とするトナーカートリッジ。
【請求項２】
請求項１のトナーカートリッジにおいて、
画像形成装置本体に固定された管部材を挿入するための挿入通路が形成された管挿入部を、該挿入通路が上記トナー収容器の回転軸線方向と平行な方向に延在するように上記回転係合部材に設けたことを特徴とするトナーカートリッジ。
【請求項３】
請求項１又は２のトナーカートリッジにおいて、
画像形成装置本体に固定された位置決め部材におけるトナー収容器回転軸線方向と平行な方向に沿って突出する凸部に係合させるための凹係合部を、上記回転係合部材におけるトナー収容器回転軸線からずれた位置に設けたことを特徴とするトナーカートリッジ。
【請求項４】
請求項１又は２のトナーカートリッジにおいて、
画像形成装置本体に固定された位置決め部材におけるトナー収容器回転軸線方向と平行な方向に沿って窪む凹部に係合させるための凸係合部を、上記回転係合部材におけるトナー収容器回転軸線からずれた位置に設けたことを特徴とするトナーカートリッジ。
【請求項５】
請求項３又は４のトナーカートリッジにおいて、
上記画像形成装置本体に固定された管部材を挿入するための挿入通路が形成された管挿入部を、該挿入通路を上記トナー収容器の回転軸線方向と平行な方向に延在させるように上記回転係合部材に設けたことを特徴とするトナーカートリッジ。
【請求項６】
請求項２又は５のトナーカートリッジにおいて、
上記トナー収容器として、上記回転軸線方向に細長い円筒状のものを用いたことを特徴とするトナーカートリッジ。
【請求項７】
請求項２、５又は６のトナーカートリッジにおいて、
上記トナー収容器内から送られてくるトナーを貯留するトナー貯留部、及び、該トナー貯留部と上記挿入通路とを連通させる連通路を、該挿入通路と上記連通路と上記トナー貯留部とが上記回転軸線方向と直交する方向に順に並ぶ位置関係で、上記回転係合部材内に設けたことを特徴とするトナーカートリッジ。
【請求項８】
請求項７のトナーカートリッジにおいて、
上記連通路を、上記回転軸線方向と直交する方向に真っ直ぐに延びるように設けたことを特徴とするトナーカートリッジ。
【請求項９】
請求項８のトナーカートリッジにおいて、
上記トナー貯留部側から上記挿入通路側に向けて先細になるテーパーを、上記連通路に設けたことを特徴とするトナーカートリッジ。
【請求項１０】
請求項７、８又は９のトナーカートリッジにおいて、
上記連通路における上記挿入通路側の開口を塞ぐシャッタ部材を、該挿入通路内における該開口を塞ぐ位置と、該開口を露出させる位置との間でスライド移動可能に設けたことを特徴とするトナーカートリッジ。
【請求項１１】
請求項１０のトナーカートリッジにおいて、
上記管挿入部と、これの上記挿入通路に挿入された上記シャッタ部材との間をシーリングするシール部材を、該管挿入部の挿入通路内壁に固定したことを特徴とするトナーカートリッジ。
【請求項１２】
請求項１１のトナーカートリッジにおいて、
上記シール部材を、上記挿入通路内における上記連通路との連通箇所よりも管部材挿入方向上流側の箇所と、管部材挿入方向下流側の箇所とに設けたことを特徴とするトナーカートリッジ。
【請求項１３】
請求項１乃至１２の何れかのトナーカートリッジにおいて、
上記トナー収容器にトナーを収容していることを特徴とするトナーカートリッジ。
【請求項１４】
請求項１３のトナーカートリッジであって、
上記トナーが、画像形成装置内での使用に伴って空になった上記トナー収容器に対して再充填されたリフィルトナーであることを特徴とするトナーカートリッジ。
【請求項１５】
請求項１３又は１４のトナーカートリッジにおいて、
互いに、同じ画像形成装置にセットされ且つ上記トナー収容器に異なる色のトナーを収容している複数のトナーカートリッジ間で、それぞれ、上記回転係合部材の上記回転軸線方向における投影像の形状が異なるように、該回転係合部材の形状を異ならせたことを特徴とするトナーカートリッジ。
【請求項１６】
記録体にトナー像を形成するトナー像形成手段と、該トナー像形成手段に供給するためのトナーを収容し且つ画像形成装置本体に対して着脱自在に構成されたトナーカートリッジとを備える画像形成装置において、
上記トナーカートリッジとして、請求項２、あるいは請求項５乃至１２の何れかのものを用いるとともに、該トナーカートリッジの上記挿入通路に挿入するための上記管部材と、該管部材を通して上記回転係合部材内のトナーを吸引することで、該トナーを該回転係合部材内から該管部材を介して上記トナー像形成手段に搬送する吸引手段とを設けたことを特徴とする画像形成装置。
【請求項１７】
請求項１６の画像形成装置において、
上記トナーカートリッジとして、請求項５のものを用いるとともに、該トナーカートリッジの画像形成装置本体への装着操作の際に、上記管部材への挿入通路への挿入よりも、上記位置決め部材の上記凹係合部又は凸係合部の係合が先に開始されるようにしたことを特徴とする画像形成装置。
【請求項１８】
記録体にトナー像を形成するトナー像形成手段と、該トナー像形成手段に供給するためのトナーを収容し且つ画像形成装置本体に対して着脱自在に構成されたトナーカートリッジとを備える画像形成装置において、
上記トナーカートリッジとして、請求項３乃至６の何れかのものを用いるとともに、上記係合凸部又は係合凹部に係合せしめられる凹部又は凸部が形成された位置決め部材を設けたことを特徴とする画像形成装置。
【請求項１９】
トナーを収容するためのトナー収容器と、該トナー収容器に形成された開口を覆うように該トナー収容器と係合しつつ、該トナー収容器を回転自在に保持する回転係合部材とを有し、該トナー収容器の回転に伴って該トナー収容器内のトナーを該開口から該回転係合部材内に送り込んだ後、該回転係合部材外に排出するトナーカートリッジにおける該トナー収容器内にトナーを再充填して、該トナーカートリッジを再生するトナーカートリッジ再生方法において、
上記トナーカートリッジとして、請求項１乃至１５の何れかのものを用い、上記トナー収容器を上記回転係合部材から取り外す工程と、取り外し後の該トナー収容器内にトナーを再充填する工程と、再充填後の該トナー収容器を該回転係合部材に取り付ける工程とを実施することを特徴とするトナーカートリッジ再生方法。
【請求項２０】
トナーを収容するためのトナー収容器と、該トナー収容器に形成された開口を覆うように該トナー収容器と係合しつつ、該トナー収容器を回転自在に保持する回転係合部材とを有し、該トナー収容器の回転に伴って該トナー収容器内のトナーを該開口から該回転係合部材内に送り込んだ後、該回転係合部材外に排出するトナーカートリッジにおける該トナー収容器内にトナーを再充填して、該トナーカートリッジを再生するトナーカートリッジ再生方法において、
上記トナーカートリッジとして、請求項１乃至１５の何れかのものを用い、トナー再充填用の穴を上記トナー収容器にあける工程と、該穴を通して該トナー収容器内にトナーを再充填する工程と、該穴を塞ぐ工程とを実施することを特徴とするトナーカートリッジ再生方法。
【発明の詳細な説明】
【技術分野】
【０００１】
本発明は、複写機、ファクシミリ、プリンタ等の画像形成装置に着脱されるトナーカートリッジ、これを用いる画像形成装置、及び、そのトナーカートリッジを再生するトナーカートリッジ再生方法に関するものである。
【背景技術】
【０００２】
従来、トナーを用いた電子写真方式や直接記録方式により、転写紙等の記録体にトナー像を形成する画像形成装置が知られている。電子写真方式とは、感光体等の潜像担持体に形成した潜像にトナーを付着させて、潜像担持体上にトナー像を形成する方式である。また、直接記録方式とは、例えば特許文献１に記載の画像形成装置のように、潜像担持体によらず、トナー飛翔装置から飛翔させたトナー群を記録体に直接付着させてトナー像を形成する方式である。
【０００３】
これらの方式においては、画像形成に伴ってトナーを消費していくので、画像形成装置本体に対してトナーを定期的に補充する必要がある。トナーを補充する方法としては、特許文献２や特許文献３などに記載のトナーカートリッジを新旧交換することによって行うものが知られている。
【０００４】
図１は、特許文献２に記載の画像形成装置のトナー補給装置を示す概略構成図である。同図において、トナー補給装置は、トナーカートリッジ１５０、管状のノズル１６０、搬送チューブ１７０、エアーポンプ１８０、吸引ポンプ１９０等を有している。トナーカートリッジ１５０は、変形自在な袋部１５１と、これに固定されたキャップ部１５２とを有している。袋部１５１の上半分は、ほぼ直方体の形状になっているが、下半分は逆四角錐の形状になっている。このような逆四角錐の形状により、袋部１５１の下端に設けられた開口に向かって先細になるホッパが形成されている。キャップ部１５２には、このホッパの下端に形成された開口に連通している第１空間と、これに連通口１５５を介して連通している第２空間とが設けられている。このうち、第１空間は、袋部１５１のホッパから自重によって落下してくるトナーで満たされる。一方、第２空間内には、円筒状のノズル１６０がその側面に設けられたトナー受入口を、第１空間と第２空間との間の連通口に対面させるように挿入されている。
【０００５】
トナーカートリッジ１５０は、キャップ部１５２を鉛直方向下方に向ける姿勢で図示しない支持台にセットされている。そして、内部のトナーがほぼ無くなった時点で新たなものと交換される。この交換の際、使用済みのトナーカートリッジが、画像形成装置本体に固定されたノズル１６０から引き抜かれた後、このノズル１６０に新たなトナーカートリッジが装着される。
【０００６】
トナーカートリッジ１５０のキャップ部１５２の第２空間内に挿入されたノズル１６０の後端側には、搬送チューブ１７０、吸引ポンプ１９０が順に接続されている。吸引ポンプ１９０が作動すると、搬送チューブ１７０と、ノズル１６０とを通してキャップ部１５２の第１空間内のトナーが吸引されて、ノズル１６０内に流入する。そして、搬送チューブ１７０と吸引ポンプ１９０内とを経て、現像装置等の搬送先に排出される。
【０００７】
図２は、特許文献３に記載のトナーカートリッジを示す斜視図である。このトナーカートリッジ２５０は、トナーを収容するボトル部２５１と、これに対して回転自在に係合する回転係合部材たる円筒状のホルダー部２５２とを有している。円筒状のホルダー部２５２は、ボトル部２５１の先端に設けられた図示しない開口を覆うように、ボトル部２５１の先端部に係合している。ボトル部２５１の先端側には、その周面の全周に渡って駆動受入ギヤ２５３が設けられている。画像形成装置本体に固定された図示しない原動ギヤが、この駆動受入ギヤ２５３に噛み合いながら回転することで、ボトル部２５１がホルダー部２５２に保持されながら回転する。ボトル部２５１がホルダー部２５２に保持されながら回転すると、ボトル部２５１内のトナーがボトル部２５１内周面に設けられた螺旋状の突起２５４によって、ボトル後端側から先端側に向けて搬送される。そして、ボトル部２５１の先端に設けられた図示しない開口を通って、ホルダー部２５２内に流入する。
【０００８】
ボトル部２５１の先端部が係合している円筒状のホルダー部２５２の外周面には、シャッタ部材２５５が円筒周方向にスライド移動可能に設けられている。図示の状態では、このシャッタ部材２５５が、ホルダー部２５２の外周面に設けられた図示しないトナー排出口を覆っている。トナーカートリッジ２５０は、図示しない画像形成装置本体のカートリッジ支持台にセットされる際、ホルダー部２５２に設けられた図示しない凸部を、カートリッジ支持台に設けられた図示しない凹部に係合せしめられる。この係合は、作業者がカートリッジ支持台上に載置したトナーカートリッジ２５０の把手２５６を把持して、ホルダー部２５２を回転させることによって行われる。この回転の際、ホルダー部２５２の全体のうち、シャッタ部材２５５だけは、カートリッジ支持台の突起に当たって回転が阻止される。すると、それまでシャッタ部材２５５に覆われていた図示しない排出口が徐々に露出していき、図示しないカートリッジ支持台のトナー受入口との対向位置まで移動する。このようにしてカートリッジ支持台にセットされた状態でトナーカートリッジ２５０のボトル部２５１が回転すると、ボトル部２５１内のトナーがホルダー部２５２内に流入する。流入したトナーは、自重によってホルダー部２５２のトナー排出口から上述の図示しないトナー受入口に向けて排出される。
【０００９】
【特許文献１】特開２００２−３０７７３７号公報
【特許文献２】特開２００４−１８１３８号公報
【特許文献３】特開２００４−１３９０３１号公報
【発明の開示】
【発明が解決しようとする課題】
【００１０】
これらのトナーカートリッジの交換頻度を少なくするためには、トナー収容量をできるだけ大きくする必要がある。図１に示したトナーカートリッジ１５０において、トナー収容量を大きくするには、カートリッジのサイズを、鉛直方向に大きくしなければならない。これは次に説明する理由による。即ち、このトナーカートリッジ１５０では、袋部１５１内のトナーを自重によって袋部下半分のホッパのテーパーに沿って開口に向けて集めつつ、開口からキャップ部１５２内に落下させるという構成になっている。かかる構成において、袋部１５１のサイズを水平方向に大きくしてしまうと、トナーをホッパのテーパー上で良好に滑らせることができずに、ホッパ内に多量に堆積させてしまう。トナーを良好に滑らせるためには、テーパーをある程度の長さに留めなければならず、そのためには、袋部１５１の水平方向のサイズをある程度小さく抑える必要がある。よって、トナー収容量を大きくするには、カートリッジのサイズを鉛直方向に大きくする必要がある。
【００１１】
ところが、カートリッジのサイズを鉛直方向に大きくすると、水平方向に大きくする場合に比べて、画像形成装置本体内のレイアウト自由度を悪化させてしまう。これは次に説明する理由による。即ち、一般に、画像形成装置は、ドラム状の感光体や各種ローラなどのように、鉛直方向よりも水平方向にスペースをとる部材を多く使用する。このような画像形成装置の筺体内では、例えば、互いに平行配設された２つのローラの間に形成されるスペースのように、水平方向に長く延びるスペースはでき易いが、鉛直方向に長く延びるスペースはでき難い。このため、鉛直方向に大きく嵩張るトナーカートリッジを使用すると、装置内のレイアウト自由度を悪化させてしまうことになる。
【００１２】
一方、図２に示したトナーカートリッジ２５０は、細長い筒状の形状となっており、水平方向に寝かせた状態でセットされる。感光体や各種ローラなどのように、鉛直方向よりも水平方向にスペースをとるようにセットされるのである。このため、水平方向よりも鉛直方向にスペースをとることによるレイアウト自由度の悪化を回避することができる。
【００１３】
ところが、このトナーカートリッジ２５０は、ボトル部２５１の駆動源となっている駆動モータに対する負荷変動を大きくし易い。具体的には、図示のトナーカートリッジ２５０のホルダー部２５２は、プリンタ本体の図示しない位置決め部材によってしっかりと固定されるため、プリンタ本体内でがたつくことはない。これに対し、細長いボトル部２５１は、このようにしっかりと固定されたホルダー部２５２に先端部を回転自在に係合させているものの、完全に固定されているわけではないので、回転時の反動によって回転軸線と直交する方向にガタツキやすい。かかるガタツキが起こると、ボトル部２５１の回転周面に設けられた駆動受入ギヤ２５３と、画像形成装置本体側の図示しない原動ギヤとの噛み合い量が変化する。そして、これにより、駆動モータの負荷変動が起こる。ボトル部２５１において、ガタツキによる変位量は、位置決め部材によって固定されたホルダー部２５２に係合している先端部側から、ホルダー部２５２に係合していない後端側に向かうほど大きくなる。そこで、図示のトナーカートリッジ２５０では、後端部よりも変位量の小さい先端部に駆動受入ギヤ２５３を設けることで、ガタツキに起因する駆動モータの負荷変動をできるだけ少なくしている。しかし、かかる構成でも、トナー収容器たるボトル部２５１のガタツキ量によっては、駆動モータの負荷変動を十分に抑えることはできない。
【００１４】
本発明は、以上の背景に鑑みなされたものであり、その目的とするところは、次のようなトナーカートリッジ、画像形成装置及びトナーカートリッジ製造方法を提供することである。即ち、水平方向よりも鉛直方向にスペースをとることによるレイアウト自由度の悪化を回避しつつ、ボトル部などのトナー収容器のガタツキに起因する駆動モータの負荷変動をより確実に抑えることができるトナーカートリッジ等である。
【課題を解決するための手段】
【００１５】
上記目的を達成するために、請求項１の発明は、トナーを収容するためのトナー収容器と、該トナー収容器の先端部に形成された開口を覆うように該トナー収容器に対して回転自在に係合する回転係合部材と、回転駆動される原動側ギヤの回転駆動力を受け入れるように該トナー収容器の回転周面に設けられた駆動受入ギヤとを有し、該トナー収容器の回転に伴って該トナー収容器内のトナーを該開口から該回転係合部材内に送り込んだ後、該回転係合部材外に排出するトナーカートリッジにおいて、上記駆動受入ギヤを上記トナー収容器の上記先端部に設けるとともに、該先端部の回転周面を覆う周面覆い部を上記回転係合部材に設け、該先端部における該駆動受入ギヤの配設箇所よりも後端側の箇所と、該周面覆い部の内周面との突き当たりにより、該トナー収容器の回転軸線方向と直交する方向への移動を規制させるようにし、且つ、該覆い部に設けたギヤ露出用開口から、上記駆動受入ギヤを部分的に露出させたことを特徴とするものである。
また、請求項２の発明は、請求項１のトナーカートリッジにおいて、画像形成装置本体に固定された管部材を挿入するための挿入通路が形成された管挿入部を、該挿入通路が上記トナー収容器の回転軸線方向と平行な方向に延在するように上記回転係合部材に設けたことを特徴とするものである。
また、請求項３の発明は、請求項１又は２のトナーカートリッジにおいて、画像形成装置本体に固定された位置決め部材におけるトナー収容器回転軸線方向と平行な方向に沿って突出する凸部に係合させるための凹係合部を、上記回転係合部材におけるトナー収容器回転軸線からずれた位置に設けたことを特徴とするものである。
また、請求項４の発明は、請求項１又は２のトナーカートリッジにおいて、画像形成装置本体に固定された位置決め部材におけるトナー収容器回転軸線方向と平行な方向に沿って窪む凹部に係合させるための凸係合部を、上記回転係合部材におけるトナー収容器回転軸線からずれた位置に設けたことを特徴とするものである。
また、請求項５の発明は、請求項３又は４のトナーカートリッジにおいて、上記画像形成装置本体に固定された管部材を挿入するための挿入通路が形成された管挿入部を、該挿入通路を上記トナー収容器の回転軸線方向と平行な方向に延在させるように上記回転係合部材に設けたことを特徴とするものである。
また、請求項６の発明は、請求項２又は５のトナーカートリッジにおいて、上記トナー収容器として、上記回転軸線方向に細長い円筒状のものを用いたことを特徴とするものである。
また、請求項７の発明は、請求項２、５又は６のトナーカートリッジにおいて、上記トナー収容器内から送られてくるトナーを貯留するトナー貯留部、及び、該トナー貯留部と上記挿入通路とを連通させる連通路を、該挿入通路と上記連通路と上記トナー貯留部とが上記回転軸線方向と直交する方向に順に並ぶ位置関係で、上記回転係合部材内に設けたことを特徴とするものである。
また、請求項８の発明は、請求項７のトナーカートリッジにおいて、上記連通路を、上記回転軸線方向と直交する方向に真っ直ぐに延びるように設けたことを特徴とするものである。
また、請求項９の発明は、請求項８のトナーカートリッジにおいて、上記トナー貯留部側から上記挿入通路側に向けて先細になるテーパーを、上記連通路に設けたことを特徴とするものである。
また、請求項１０の発明は、請求項７、８又は９のトナーカートリッジにおいて、上記連通路における上記挿入通路側の開口を塞ぐシャッタ部材を、該挿入通路内における該開口を塞ぐ位置と、該開口を露出させる位置との間でスライド移動可能に設けたことを特徴とするものである。
また、請求項１１の発明は、請求項１０のトナーカートリッジにおいて、上記管挿入部と、これの上記挿入通路に挿入された上記シャッタ部材との間をシーリングするシール部材を、該管挿入部の挿入通路内壁に固定したことを特徴とするものである。
また、請求項１２の発明は、請求項１１のトナーカートリッジにおいて、上記シール部材を、上記挿入通路内における上記連通路との連通箇所よりも管部材挿入方向上流側の箇所と、管部材挿入方向下流側の箇所とに設けたことを特徴とするものである。
また、請求項１３の発明は、請求項１乃至１２の何れかのトナーカートリッジにおいて、上記トナー収容器にトナーを収容していることを特徴とするものである。
また、請求項１４の発明は、請求項１３のトナーカートリッジであって、上記トナーが、画像形成装置内での使用に伴って空になった上記トナー収容器に対して再充填されたリフィルトナーであることを特徴とするものである。
また、請求項１５の発明は、請求項１３又は１４のトナーカートリッジにおいて、互いに、同じ画像形成装置にセットされ且つ上記トナー収容器に異なる色のトナーを収容している複数のトナーカートリッジ間で、それぞれ、上記回転係合部材の上記回転軸線方向における投影像の形状が異なるように、該回転係合部材の形状を異ならせたことを特徴とするものである。
また、請求項１６の発明は、記録体にトナー像を形成するトナー像形成手段と、該トナー像形成手段に供給するためのトナーを収容し且つ画像形成装置本体に対して着脱自在に構成されたトナーカートリッジとを備える画像形成装置において、上記トナーカートリッジとして、請求項２、あるいは請求項５乃至１２の何れかのものを用いるとともに、該トナーカートリッジの上記挿入通路に挿入するための上記管部材と、該管部材を通して上記回転係合部材内のトナーを吸引することで、該トナーを該回転係合部材内から該管部材を介して上記トナー像形成手段に搬送する吸引手段とを設けたことを特徴とするものである。
また、請求項１７の発明は、請求項１６の画像形成装置において、上記トナーカートリッジとして、請求項５のものを用いるとともに、該トナーカートリッジの画像形成装置本体への装着操作の際に、上記管部材への挿入通路への挿入よりも、上記位置決め部材の上記凹係合部又は凸係合部の係合が先に開始されるようにしたことを特徴とするものである。
また、請求項１８の発明は、記録体にトナー像を形成するトナー像形成手段と、該トナー像形成手段に供給するためのトナーを収容し且つ画像形成装置本体に対して着脱自在に構成されたトナーカートリッジとを備える画像形成装置において、上記トナーカートリッジとして、請求項３乃至６の何れかのものを用いるとともに、上記係合凸部又は係合凹部に係合せしめられる凹部又は凸部が形成された位置決め部材を設けたことを特徴とするものである。
また、請求項１９の発明は、トナーを収容するためのトナー収容器と、該トナー収容器に形成された開口を覆うように該トナー収容器と係合しつつ、該トナー収容器を回転自在に保持する回転係合部材とを有し、該トナー収容器の回転に伴って該トナー収容器内のトナーを該開口から該回転係合部材内に送り込んだ後、該回転係合部材外に排出するトナーカートリッジにおける該トナー収容器内にトナーを再充填して、該トナーカートリッジを再生するトナーカートリッジ再生方法において、上記トナーカートリッジとして、請求項１乃至１５の何れかのものを用い、上記トナー収容器を上記回転係合部材から取り外す工程と、取り外し後の該トナー収容器内にトナーを再充填する工程と、再充填後の該トナー収容器を該回転係合部材に取り付ける工程とを実施することを特徴とするものである。
また、請求項２０の発明は、トナーを収容するためのトナー収容器と、該トナー収容器に形成された開口を覆うように該トナー収容器と係合しつつ、該トナー収容器を回転自在に保持する回転係合部材とを有し、該トナー収容器の回転に伴って該トナー収容器内のトナーを該開口から該回転係合部材内に送り込んだ後、該回転係合部材外に排出するトナーカートリッジにおける該トナー収容器内にトナーを再充填して、該トナーカートリッジを再生するトナーカートリッジ再生方法において、上記トナーカートリッジとして、請求項１乃至１５の何れかのものを用い、トナー再充填用の穴を上記トナー収容器にあける工程と、該穴を通して該トナー収容器内にトナーを再充填する工程と、該穴を塞ぐ工程とを実施することを特徴とするものである。
【発明の効果】
【００１６】
これらの発明においては、トナー収容器内のトナーをその自重だけに依存して回転係合部材内に送り込むのではなく、トナー収容器の回転力を利用して送り込む。かかる構成では、トナー収容器を鉛直方向よりも水平方向にスペースをとる姿勢でセットしたとしても、トナー収容器内のトナーを余すことなく回転係合部材内に送り込むことが可能になるので、水平方向よりも鉛直方向にスペースをとる姿勢でセットすることよるレイアウト自由度の悪化を回避することができる。
また、回転係合部材の周面覆い部に覆われるトナー収容器先端部のうち、駆動受入ギヤが設けられている箇所よりも後端側の領域を、回転係合部材の周面覆い部の内周面に突き当たらせる。そして、この突き当たりにより、トナー収容器の回転軸線方向と直交する方向への移動を規制することで、かかる移動を何ら規制していなかった従来のトナーカートリッジに比べて、トナー収容器の前記方向へのガタツキ量を減らす。よって、トナー収容器のガタツキに起因する駆動モータの負荷変動をより確実に抑えることができる。なお、トナー収容器の先端部の全領域を回転係合部材の周面覆い部によって覆ってしまうと、駆動受入ギヤを周面覆い部によって覆い隠してしまうため、画像形成装置本体側の原動ギヤに噛み合わせることができなくなる。しかし、本発明では、周面覆い部に設けたギヤ露出用開口から駆動受入ギヤを部分的に露出させているので、その露出させた箇所を原動ギヤに噛み合わせることができる。
【発明を実施するための最良の形態】
【００１７】
以下、本発明を適用した画像形成装置として、電子写真方式のプリンタ（以下、単にプリンタという）の実施形態について説明する。
まず、本プリンタの基本的な構成について説明する。図３は、本プリンタを示す概略構成図である。同図において、本プリンタは、イエロー、マゼンタ、シアン、ブラック（以下、Ｙ、Ｍ、Ｃ、Ｋと記す）のトナー像を生成するための４つのプロセスカートリッジ１Ｙ，Ｍ，Ｃ，Ｋを備えている。これらは、画像を形成する画像形成物質として、互いに異なる色のＹ，Ｍ，Ｃ，Ｋトナーを用いるが、それ以外は同様の構成になっており、寿命到達時に交換される。Ｙトナー像を生成するためのプロセスカートリッジ１Ｙを例にすると、図４に示すように、ドラム状の感光体２Ｙ、ドラムクリーニング装置３Ｙ、除電装置（不図示）、帯電装置４Ｙ、現像装置５Ｙ等を備えている。このプロセスカートリッジ１Ｙは、プリンタ本体に脱着可能であり、一度に消耗部品を交換できるようになっている。
【００１８】
帯電装置４Ｙは、図示しない駆動手段によって図中時計回りに回転せしめられる感光体２Ｙの表面を一様帯電せしめる。同図においては、図示しない電源によって帯電バイアスが印加されながら、図中反時計回りに回転駆動される帯電ローラ６Ｙを感光体２Ｙに当接させることで、感光体２Ｙを一様帯電せしめる方式の帯電装置４Ｙを示した。帯電ローラ６Ｙの代わりに、帯電ブラシを当接させるものを用いてもよい。また、スコロトロンチャージャーのように、感光体２Ｙに対して非接触で帯電処理を施すものを用いてもよい。帯電装置４Ｙによって一様帯電せしめられた感光体２Ｙの表面は、後述する光書込ユニットから発せられるレーザ光によって露光走査されてＹ用の静電潜像を担持する。
【００１９】
現像装置５Ｙは、第１搬送スクリュウ７Ｙが配設された第１剤収容部８Ｙを有している。また、透磁率センサからなるトナー濃度センサ（以下、Ｔセンサという）９Ｙ、第２搬送スクリュウ１０Ｙ、現像ロール１１Ｙ、ドクターブレード１２Ｙなどが配設された第２剤収容部１３Ｙも有している。これら２つの剤収容部内には、磁性キャリアとマイナス帯電性のＹトナーとからなる図示しないＹ現像剤が内包されている。第１搬送スクリュウ７Ｙは、図示しない駆動手段によって回転駆動せしめられることで、第１剤収容部８Ｙ内のＹ現像剤を図中手前側から奥側へと搬送する。そして、第１剤収容部８Ｙと第２剤収容部１３Ｙとの間の仕切壁に設けられた図示しない連通口を経て、第２剤収容部１３Ｙ内に進入する。第２剤収容部１３Ｙ内の第２搬送スクリュウ１０Ｙは、図示しない駆動手段によって回転駆動せしめられることで、Ｙ現像剤を図中奥側から手前側へと搬送する。搬送途中のＹ現像剤は、第１剤収容部１３Ｙの底部に固定されたＴセンサ９Ｙによってそのトナー濃度が検知される。このようにしてＹ現像剤を搬送する第２搬送スクリュウ１０Ｙの図中上方には、図中反時計回りに回転駆動せしめられる非磁性パイプ１４Ｙ内にマグネットローラ１５Ｙを内包する現像ロール１１Ｙが平行配設されている。第２搬送スクリュウ１０Ｙによって搬送されるＹ現像剤は、マグネットローラ１５Ｙの発する磁力によって非磁性パイプ１４Ｙ表面に汲み上げられる。そして、非磁性パイプ１４Ｙと所定の間隙を保持するように配設されたドクターブレード１２Ｙによってその層厚が規制された後、感光体２Ｙと対向する現像領域まで搬送され、感光体２Ｙ上のＹ用の静電潜像にＹトナーを付着させる。この付着により、感光体２Ｙ上にＹトナー像が形成される。現像によってＹトナーを消費したＹ現像剤は、現像ロール１１Ｙの非磁性パイプ１４Ｙの回転に伴って第２搬送スクリュウ１０Ｙ上に戻される。そして、図中手前端まで搬送されると、図示しない連通口を経て第１剤収容部８Ｙ内に戻る。
【００２０】
Ｔセンサ９ＹによるＹ現像剤の透磁率の検知結果は、電圧信号として図示しない制御部に送られる。Ｙ現像剤の透磁率は、Ｙ現像剤のＹトナー濃度と相関を示すため、Ｔセンサ９ＹはＹトナー濃度に応じた値の電圧を出力することになる。上記制御部はＲＡＭを備えており、この中にＴセンサ９Ｙからの出力電圧の目標値であるＹ用Ｖｔｒｅｆや、他の現像装置に搭載されたＭ，Ｃ，Ｋ用のＴセンサからの出力電圧の目標値であるＭ用Ｖｔｒｅｆ、Ｃ用Ｖｔｒｅｆ、Ｋ用Ｖｔｒｅｆのデータを格納している。現像装置５Ｙについては、Ｔセンサ９Ｙからの出力電圧の値とＹ用Ｖｔｒｅｆを比較し、後述するＹ用のトナー供給装置を比較結果に応じた時間だけ駆動させる。この駆動により、現像に伴ってＹトナーを消費してＹトナー濃度を低下させたＹ現像剤に対して第１剤収容部８Ｙで適量のＹトナーが供給される。このため、第２剤収容部１３Ｙ内のＹ現像剤のＹトナー濃度が所定の範囲内に維持される。他色用のプロセスカートリッジ（１Ｍ，Ｃ，Ｋ）の現像剤についても、同様のトナー供給制御が実施される。
【００２１】
感光体２Ｙ上に形成されたＹトナー像は、後述する中間転写ベルトに中間転写される。ドラムクリーニング装置３Ｙは、中間転写工程を経た後の感光体２Ｙ表面に残留したトナーを除去する。これによってクリーニング処理が施された感光体２Ｙ表面は、図示しない除電装置によって除電される。この除電により、感光体２Ｙの表面が初期化されて次の画像形成に備えられる。先に示した図３において、他色用のプロセスカートリッジ１Ｍ、６Ｃ、６Ｋにおいても、同様にして感光体２Ｍ、Ｃ、Ｋ上にＭ、Ｃ、Ｋトナー像が形成されて、中間転写ベルト上に中間転写される。
【００２２】
プロセスカートリッジ１Ｙ，Ｍ，Ｃ，Ｋの図中下方には、光書込ユニット２０が配設されている。潜像形成手段たる光書込ユニット２０は、画像情報に基づいて発したレーザ光Ｌを、各プロセスカートリッジ１Ｙ，Ｍ，Ｃ，Ｋにおける各感光体に照射する。これにより、感光体２Ｙ，Ｍ，Ｃ，Ｋ上にＹ，Ｍ，Ｃ，Ｋ用の静電潜像が形成される。なお、光書込ユニット２０は、光源から発したレーザ光Ｌを、モータによって回転駆動されるポリゴンミラー２１によって偏向せしめながら、複数の光学レンズやミラーを介して感光体２Ｙ，Ｍ，Ｃ，Ｋに照射するものである。
【００２３】
光書込ユニット２０の図中下側には、第１給紙カセット３１、第２給紙カセット３２が鉛直方向に重なるように配設されている。これら給紙カセット内には、それぞれ、記録体たる転写紙Ｐが複数枚重ねられた転写紙束の状態で収容されており、一番上の転写紙Ｐには、第１給紙ローラ３１ａ、第２給紙ローラ３２ａがそれぞれ当接している。第１給紙ローラ３１ａが図示しない駆動手段によって図中反時計回りに回転駆動せしめられると、第１給紙カセット３１内の一番上の転写紙Ｐが、カセットの図中右側方において鉛直方向に延在するように配設された給紙路３３に向けて排出される。また、第２給紙ローラ３２ａが図示しない駆動手段によって図中反時計回りに回転駆動せしめられると、第２給紙カセット３２内の一番上の転写紙Ｐが、給紙路３３に向けて排出される。給紙路３３内には、複数の搬送ローラ対３４が配設されたおり、給紙路３３に送り込まれた転写紙Ｐは、これら搬送ローラ対３４のローラ間に挟み込まれながら、給紙路３３内を図中下側から上側に向けて搬送される。
【００２４】
給紙路３３の末端には、レジストローラ対３５が配設されている。レジストローラ対３５は、転写紙Ｐを搬送ローラ対３４から送られてくる転写紙Ｐをローラ間に挟み込むとすぐに、両ローラの回転を一旦停止させる。そして、転写紙Ｐを適切なタイミングで後述の２次転写ニップに向けて送り出す。
【００２５】
各プロセスカートリッジ１Ｙ，Ｍ，Ｃ，Ｋの図中上方には、中間転写体たる中間転写ベルト４１を張架しながら図中反時計回りに無端移動せしめる転写ユニット４０が配設されている。この転写ユニット４０は、中間転写ベルト４０の他、ベルトクリーニング装置４２、第１ブラケット４３、第２ブラケット４４などを備えている。また、４つの１次転写ローラ４５Ｙ，Ｍ，Ｃ，Ｋ、２次転写バックアップローラ４６、駆動ローラ４７、補助ローラ４８、テンションローラ４９なども備えている。中間転写ベルト４１は、これら８つのローラに張架されながら、駆動ローラ４７の回転駆動によって図中反時計回りに無端移動せしめられる。４つの１次転写ローラ４５Ｙ，Ｍ，Ｃ，Ｋは、このように無端移動せしめられる中間転写ベルト４１を感光体２Ｙ，Ｍ，Ｃ，Ｋとの間に挟み込んでそれぞれ１次転写ニップを形成している。そして、中間転写ベルト４１の裏面（ループ内周面）にトナーとは逆極性（例えばプラス）の転写バイアスを印加する。中間転写ベルト４１は、その無端移動に伴ってＹ，Ｍ，Ｃ，Ｋ用の１次転写ニップを順次通過していく過程で、そのおもて面に感光体２Ｙ，Ｍ，Ｃ，Ｋ上のＹ，Ｍ，Ｃ，Ｋトナー像が重ね合わせて１次転写される。これにより、中間転写ベルト４１上に４色重ね合わせトナー像（以下、４色トナー像という）が形成される。
【００２６】
２次転写バックアップローラ４６は、中間転写ベルト４１のループ外側に配設された２次転写ローラ５０との間に中間転写ベルト４１を挟み込んで２次転写ニップを形成している。先に説明したレジストローラ対３５は、ローラ間に挟み込んだ転写紙Ｐを、中間転写ベルト４１上の４色トナー像に同期させ得るタイミングで、２次転写ニップに向けて送り出す。中間転写ベルト４１上の４色トナー像は、２次転写バイアスが印加される２次転写ローラ５０と２次転写バックアップローラ４６との間に形成される２次転写電界や、ニップ圧の影響により、２次転写ニップ内で転写紙Ｐに一括２次転写される。そして、転写紙Ｐの白色と相まって、フルカラートナー像となる。
【００２７】
２次転写ニップを通過した後の中間転写ベルト４１には、転写紙Ｐに転写されなかった転写残トナーが付着している。これは、ベルトクリーニング装置４２によってクリーニングされる。
【００２８】
２次転写ニップの図中上方には、加圧ローラ６１や定着ベルトユニット６２などを備える定着装置６０が配設されている。この定着装置６０の定着ベルトユニット６２は、定着ベルト６４を、加熱ローラ６３、テンションローラ６５、駆動ローラ６６によって張架しながら、図中反時計回りに無端移動せしめる。加熱ローラ６３は、ハロゲンランプ等の発熱源を内包しており、定着ベルト６４を裏面側から加熱する。このようにして加熱される定着ベルト６４の加熱ローラ６３掛け回し箇所には、図中時計回りに回転駆動される加圧ローラ６１がおもて面側から当接している。これにより、加圧ローラ６１と定着ベルト６４とが当接する定着ニップが形成されている。
【００２９】
２次転写ニップを通過した転写紙Ｐは、中間転写ベルト４１から分離した後、定着装置６０内に送られる。そして、定着ニップに挟まれながら図中下側から上側に向けて搬送される過程で、定着ベルト６４によって加熱されたり、押圧されたりして、フルカラートナー像が定着せしめられる。
【００３０】
このようにして定着処理が施された転写紙Ｐは、排紙ローラ対６７のローラ間を経た後、機外へと排出される。プリンタ本体の筺体の上面には、スタック部６８が形成されており、排紙ローラ対６７によって機外に排出された転写紙Ｐは、このスタック部６８に順次スタックされる。
【００３１】
転写ユニット４０の上方には、Ｙ，Ｍ，Ｃ，Ｋトナーを収容する４つのトナーカートリッジ１００Ｙ，Ｍ，Ｃ，Ｋが配設されている。トナーカートリッジ１００Ｙ，Ｍ，Ｃ，Ｋ内のＹ，Ｍ，Ｃ，Ｋトナーは、それぞれプロセスカートリッジ１Ｙ，Ｍ，Ｃ，Ｋの現像装置に適宜供給される。これらトナーカートリッジ１００Ｙ，Ｍ，Ｃ，Ｋは、プロセスカートリッジ１Ｙ，Ｍ，Ｃ，Ｋとは独立してプリンタ本体に脱着可能である。
【００３２】
以上の構成の本プリンタにおいては、４つのプロセスカートリッジ１Ｙ，Ｍ，Ｃ，Ｋ、光書込ユニット２０、転写ユニット４０などの組合せにより、記録体たる転写紙Ｐにトナー像を形成するトナー像形成手段が構成されている。
【００３３】
次に、本プリンタの特徴的な構成について説明する。
図５はＹ用のトナーカートリッジ１００Ｙを示す斜視図である。同図において、Ｙ用のトナーカートリッジ１００Ｙは、図示しないＹトナーを収容するボトル状のボトル部１０１Ｙと、円筒状のホルダー部１０２Ｙとを備えている。ホルダー部１０２Ｙは、ボトル部１０１Ｙの先端に形成された図示しない開口を覆うようにボトル部１０１Ｙの先端部に係合しつつ、ボトル部１０１Ｙを回転自在に保持している。ボトル部１０１Ｙには、外側から内側に向けて突出するスクリュー状の突起が１０３Ｙその円周面に沿うようにエンボス加工されている。ボトル部１０１Ｙが図示しない駆動系によって回転せしめられると、ボトル部１０１Ｙ内のＹトナーがこのスクリュー状の突起に沿ってボトル底側からボトル先端側に向けて移動する。そして、トナー収容器たるボトル部１０１Ｙの先端に設けられた図示しない開口を通って、円筒状のホルダー部１０２Ｙ内に流入する。
【００３４】
ホルダー部１０２Ｙのボトル軸線方向における端面には、ノズル受入口１０９Ｙが形成されている。このノズル受入口１０９Ｙは、プリンタ本体側に固定された後述する吸引ノズルを受け入れるためのものである。ノズル受入口１０９Ｙの図中両脇には、それぞれノズル受入口よりも若干小径の位置決めピン受入口１１０Ｙがそれぞれ形成されている。これら位置決めピン受入口１１０Ｙは、それぞれ、ボトル部１０１Ｙの回転軸線からずれた位置に形成されており、その奧には、図示しないピン挿入通路が、ボトル部１０１Ｙの回転軸線方向と並行な方向に延在するように形成されている。なお、ボトル部１０１Ｙとしては、原動ギヤによって回転せしめられる際の衝撃では変形しない程度に剛性の高い樹脂材料からなるものを用いている。
【００３５】
図６は、後述するトナー補給装置の一部となっているＹ用のカートリッジ連結部７１Ｙを示す斜視図である。このＹ用のカートリッジ連結部７１Ｙは、Ｙトナーを搬送するための搬送管７２Ｙの上端に、管部材たる吸引ノズル７３Ｙが水平方向に延在するように固定されている。吸引ノズル７３Ｙの先端部には、Ｙトナーを受け入れるためのトナー受入口７４Ｙが形成されている。また、吸引ノズル７３Ｙの両脇には、それぞれ、棒状の位置決めピン７５Ｙが、水平方向（ボトル部の回転軸線と並行な方向）に延在するように固定されている。位置決め部材としてのカートリッジ連結部７１Ｙの凸部たる位置決めピン７５Ｙは、先端部が吸引ノズル７３Ｙの先端よりも出っ張るようになっている。
【００３６】
図７は、Ｙ用のトナーカートリッジ１００Ｙを示す分解斜視図である。Ｙ用のトナーカートリッジ１００Ｙの回転係合部材たるホルダー部１０２Ｙは、ボトル部１０１Ｙに係合する係合部と、これとは別体で構成されたノズル挿入部１０４Ｙとから構成されている。また、係合部は、ボトル部１０１Ｙに係合しながらボトル部１０１Ｙの先端部の周面を覆うキャップ部１０５Ｙと、トナーを一時的に貯留するトナー貯留部１０６Ｙとを有している。係合部において、円筒状のキャップ部１０５Ｙ内には、これの内径よりも小径の円筒状のトナー貯留部１０６Ｙが嵌合せしめられている。このように嵌合する両者の間には、非通気性材料であるゴム製のＯリング１０７Ｙが嵌め込まれている。これにより、キャップ部１０５Ｙの内周面とトナー貯留部１０６Ｙの外周面との間の気密性が高く保たれる。
【００３７】
キャップ部１０５Ｙよりも小径に形成されたトナー貯留部１０６Ｙの図中下部には、図示しない窪みが形成されており、この窪みの中に、ノズル挿入部１０４Ｙが嵌合せしめられる。このように嵌合する両者の間には、非通気性材料であるゴム製のＯリング１０８Ｙが嵌め込まれている。これにより、係合部の一部であるトナー貯留部１０６Ｙの凹部内周面とノズル挿入部１０４Ｙの嵌合用凸部外周面との間の気密性が高く保たれる。
【００３８】
ボトル部１０１Ｙの先端部の回転周面には、プリンタ本体側に固定された図示しない原動ギヤの回転駆動力に噛み合う駆動受入ギヤ１１１Ｙが形成されている。ホルダー部１０２Ｙのキャップ部１０５Ｙは、ボトル部１０１Ｙの先端と係合すると、ボトル部１０１Ｙの先端部の回転周面を覆う周面覆い部として機能する。但し、キャップ部１０５Ｙは、ギヤ露出用開口Ａを有しており、ボトル部１０１Ｙの先端部のうち、駆動受入ギヤ１１１Ｙについては、その一部をギヤ露出用開口Ａから露出させる。この露出により、先に図５に示したように、キャップ部１０５Ｙに覆われたボトル先端部の駆動受入ギヤ１１１Ｙを、図示しない原動ギヤに噛み合わせることが可能になっている。
【００３９】
図８は、トナー補給装置にセットされる前のＹ用のトナーカートリッジ１００Ｙにおける先端部を示す断面図である。ボトル部１０１Ｙの先端部は、ボトル本体よりも小径な円筒形状になっており、その小径円筒の先端に開口が形成されている。先端部の小径円筒の周面から突出して駆動受入ギヤ１１１Ｙよりもボトル先端側には、円筒外周面から僅かに突出する引っ掛け部１１２Ｙが形成されている。ホルダー部１０２Ｙのキャップ部１０５Ｙには、ボトル部１０１Ｙの先端部である小径円筒を受け入れるための円筒空間が形成されており、この円筒空間における後端部には、円筒内周から突出する突起１１３が形成されている。ボトル部１０１Ｙの先端部は、その引っ掛け部１１２Ｙがキャップ部１０５Ｙ内の突起１１３Ｙを乗り越えるようにキャップ部１０５Ｙ内に挿入されて、キャップ部１０５Ｙに対して回転自在に係合している。
【００４０】
キャップ部１０５Ｙの後端部（ボトル後端側の端部）の内周面には、複数の突起Ｂが形成されている。上述の係合によってボトル部１１１Ｙの先端部の周面を覆った周面覆い部としてのキャップ部１０５Ｙは、これら突起Ｂを、ボトル部１０１Ｙの先端部における駆動受入ギヤ１１１Ｙの配設箇所よりも後端側の領域に突き当てる。そして、この突き当てより、トナー収容器たるボトル部１０１Ｙの回転軸線方向と直交する方向への移動を規制することで、従来のトナーカートリッジに比べて、ボトル部１０１Ｙの回転軸線方向と直交する方向へのガタツキ量を減らす。よって、ボトル部１０１Ｙのガタツキに起因する駆動モータの負荷変動をより確実に抑えることができる。
【００４１】
ノズル挿入部１０４Ｙは、管状のノズル本体部の上面から、嵌合用凸部を突出させており、この嵌合用凸部を、キャップ部１０５Ｙの内側にあるトナー貯留部１０６Ｙの底部に嵌合させている。嵌合用凸部内には、連通路１１４Ｙが形成されており、この連通路１１４Ｙは、ノズル本体部内においてボトル軸線方向と平行な方向に延在するように設けられた挿入通路１１５Ｙに連通している。但し、挿入通路１１５Ｙ内には、上述した吸引ノズル（７４Ｙ）と同じ径に形成された棒状のシャッタ部材１１６Ｙがスライド移動可能に挿入されており、これが連通路１１４Ｙの直下に位置していることで、連通路１１４Ｙと挿入通路１１５Ｙとが遮断されている。なお、この挿入通路１１５Ｙの端が、先に図５に示したノズル受入口１０９Ｙとなっている。
【００４２】
ボトル部１０１Ｙの先端の小径円筒からトナー貯留部１０６Ｙ内に流入したトナーは、自重により、ノズル挿入部１０４Ｙの連通路１１４Ｙ内に落下して堆積する。トナー貯留部１０６Ｙに嵌合したノズル挿入部１０４Ｙの嵌合用凸部は、トナー貯留部１０６Ｙの底部として機能する。かかる嵌合用凸部の連通路１１５Ｙが上述したような擂り鉢状に形成されていることで、底部のトナーをテーパーによって通路中心に集めるホッパとしての役割を果たしている。図示の状態では、連通路１１４Ｙの先端がシャッタ部材１１６Ｙによって閉鎖されているため、連通路１１４Ｙ内から挿入通路１１５Ｙ内にトナーが流れ込むことはない。
【００４３】
図９は、Ｙ用のトナーカートリッジ１００Ｙの先端部を示す分解斜視図である。同図においては、便宜上、ホルダー部１０２Ｙのキャップ部（１０５Ｙ）の図示を省略している。図示しないキャップ部（１０５Ｙ）の内側に嵌合している円筒状のトナー貯留部１０６Ｙにおけるボトル側端部には、通気性材料で且つ弾性材料であるスポンジからなるリング状のリングシール１１８Ｙが貼り付け固定されている。先に図８に示したように、キャップ部１０５Ｙに回転自在に係合したボトル部１０１Ｙの先端は、キャップ部１０５Ｙ内のトナー貯留部１０６Ｙの端部に固定されたリングシール１１８Ｙに突き当たっている。これにより、トナー収容器たるボトル部１０１Ｙの内周面と、これに係合したキャップ部１０５Ｙの外周面との間の気密性が高められている。
【００４４】
Ｙ用のトナーカートリッジ１００Ｙが後述するトナー補給装置のカートリッジ載置台にセットされる際には、まず、プリンタの筺体の側板に設けられた図示しない開閉扉が開かれる。すると、筺体内のトナー補給装置のカートリッジ載置台が露出する。このカートリッジ載置台には、Ｙ，Ｍ，Ｃ，Ｋ用の４つのトナーカートリッジを並行載置するための半筒状の４つの窪みが並行に設けられている。作業者は、トナーカートリッジ１００Ｙを、そのホルダー部１０２Ｙが先頭に位置する姿勢で把持する。そして、カートリッジ載置台に設けられた半筒上の４つの窪みのうち、Ｙ用の窪みの端にホルダー部１０２Ｙを載せた後、カートリッジ全体を差し込むように、ボトル部回転軸線方向に沿ってスライド移動させる。このスライド移動により、トナーカートリッジ１００Ｙを、所定の位置まで押し込んで、カートリッジ載置台上にセットする。
【００４５】
先に示した図６において、トナー補給装置におけるＹ用のカートリッジ連結部７１Ｙの２つの位置決めピン７３Ｙは、それぞれ先端部を吸引ノズル７３Ｙの先端よりも出っ張らせるように固定されている。そして、その先端部は、後端側よりも先細になっている。トナーカートリッジがセット時にカートリッジ載置台上に差し込まれる途中で、これら２つの位置決めピン７３Ｙの先細の先端部が、図５に示したトナーカートリッジ１００Ｙの２つの位置決めピン受入口１１０Ｙ内にそれぞれ進入する。そして、トナーカートリッジ１００Ｙが更に差し込まれると、位置決めピン７３Ｙの先端部よりも太くなっている後端側も、ピン受入口１１０Ｙ内に進入していく。先端部よりも太くなっている後端側がピン受入口１１０Ｙ内に進入することで、トナーカートリッジ１００Ｙのカートリッジ載置台上における回転軸線方向と直交する方向の位置決めがなされる。
【００４６】
かかる位置決めがなされた後、トナーカートリッジ１００Ｙが更に差し込まれると、図６に示したトナー補給装置のカートリッジ連結部１０９Ｙにおける吸引ノズル７３Ｙが、図５に示したホルダー部１０２Ｙのノズル受入口１０９Ｙ内に進入していく。そして、吸引ノズル７３Ｙ内がノズル受入口１０９Ｙの内側に延在している挿入通路（１１５Ｙ）にある程度まで押し込まれた時点で、トナーカートリッジ１００Ｙのセットが完了する。
【００４７】
図１０は、トナー補給装置にセットされた状態のＹ用のトナーカートリッジ１００Ｙにおける先端部を示す断面図である。トナーカートリッジ１００Ｙが図示しないトナー補給装置のカートリッジ載置台にセットされると、ホルダー部１０２Ｙにおけるノズル挿入部１０４Ｙの挿入通路１１５Ｙ内に、トナー補給装置に固定されている吸引ノズル７３Ｙが挿入される。このとき、挿入通路１１５Ｙ内では、連通路１１４Ｙの直下に位置していたシャッタ部材１１６Ｙが、挿入通路１１５Ｙ内に差し込まれた吸引ノズル７３Ｙの先端に押されて図中右側から左側へとスライド移動する。そして、連通路１１４Ｙの直下から待避するとともに、吸引ノズル７３Ｙの先端部に設けられたトナー受入口（図６の７４Ｙ）が連通路１１４Ｙの直下に位置する。これにより、トナー貯留部１０６Ｙ内と吸引ノズル７３Ｙ内とが、ノズル挿入部１０４Ｙの連通路１１４Ｙを介して連通する。
【００４８】
吸引ノズル７３Ｙやシャッタ部材１１６Ｙがスライド移動可能な挿入通路１１５Ｙの内周面には、非通気性材料であるゴムからなる２つのＯリング１１７Ｙが固定されている。吸引ノズル７３Ｙやシャッタ部材１１６Ｙは、これらＯリング１１７Ｙのリング内部を貫くようにして、挿入通路１１５Ｙ内をスライド移動する。２つのＯリング１１７Ｙのうち、一方は、挿入通路１１５Ｙの内壁における連通路１１４Ｙよりも入口側（ノズル受入口側）の箇所に固定されており、この箇所で挿入通路１１５Ｙと管部材たる吸引ノズル７３Ｙとの間をシーリングしている。これにより、挿入通路１１５Ｙの入口（トナー受入口）と、吸引ノズル７３Ｙとの隙間から挿入通路１１５Ｙ内へのエアー流入を阻止している。もう一方のＯリング１１７Ｙは、挿入通路１１５Ｙの内壁における連通路１１４Ｙよりも出口側の箇所に固定されており、この箇所で挿入通路１１５Ｙと吸引ノズル７３Ｙとの間をシーリングしている。これにより、挿入通路１１５Ｙの出口と、吸引ノズル７３Ｙとの隙間から挿入通路１１５Ｙ内へのエアー流入を阻止している。
【００４９】
図示しないトナー補給装置にセットされたトナーカートリッジ１００Ｙは、ボトル部１０１Ｙの先端部に形成されたギヤ部１１７Ｙを、トナー補給装置に固定された原動ギヤ７６Ｙに噛み合わせる。図示しない駆動源によって原動ギヤ７６Ｙが回転駆動されると、これと１１７Ｙとの噛み合いにより、ボトル部１０１Ｙがホルダー部１０２Ｙに保持されながら回転する。この回転により、ボトル部１０１Ｙ内のＹトナーが、ボトル後端側から先端側に向けて搬送されて、ホルダー部１０２のトナー貯留部１０６Ｙ内に流入する。そして、トナー貯留部１０６Ｙの底部となっている連通路１１４Ｙ上に堆積する。
【００５０】
ボトル部１０１Ｙの回転運動の反動により、ボトル部１０１Ｙを回転可能に保持するホルダー部１０２Ｙがカートリッジ載置台上で回転しようとしたとする。この場合、トナー補給装置に固定された凸部たる位置決めピン（７５Ｙ）に対して、ボトル部１０１Ｙの回転軸線からずれた位置で係合している凹係合部たるピン挿入通路の内壁が引っ掛かる。そして、この引っ掛かりにより、ホルダー部１０２の回転を阻止することで、ボトル部１０１Ｙの回転に伴うホルダー部１０２Ｙの位置ズレを回避することができる。
【００５１】
なお、位置決め部材たるカートリッジ連結部７１Ｙとして、ホルダー部１０２Ｙの凹係合部たるピン挿入通路に係合する凸部としての位置決めピン７５Ｙを設けた例について説明したが、凹凸の関係をこの逆にしてもよい。具体的には、カートリッジ連結部７１Ｙに、ボトル回転軸線方向と並行な方向に延びる凹部を設けるとともに、トナーカートリッジ１００Ｙのホルダー部１０２Ｙに、同方向に延びる凸係合部を形成するのである。
【００５２】
吸引ノズル７３Ｙに連結している搬送管７２Ｙの図示しない領域には、吸引ポンプが接続されており、これの作動によって搬送管７２Ｙ内の空気やトナーが吸引される。すると、その吸引力が、搬送管７２Ｙ内、吸引ノズル７３Ｙ内を介して、連通路１１４Ｙ内やトナー貯留部１０６Ｙ内に伝わる。そして、トナー貯留部１０６Ｙ内や連通路１１４Ｙ内のＹトナーが、吸引ノズル７３Ｙ内へと吸引される。
【００５３】
上述したように、挿入通路１１５Ｙとこれに差し込まれた吸引ノズル７３Ｙとの間は、非通気性シール部材たるＯリング１１７Ｙよってシーリングされている。一方、ホルダー部１０２Ｙのキャップ部１０５Ｙと、これに係合しているボトル部１０１Ｙとの間は、通気性シール部材たるリングシール１１８Ｙによってシーリングされている。かかる構成では、挿入通路１１５Ｙと吸引ノズル７３Ｙとの間の気密性が、ボトル部１０１Ｙとこれに係合したキャップ部１０５Ｙとの間の気密性よりも高くなる。そして、吸引ポンプによる吸引に伴って吸引ノズル７３Ｙ内、連通路１１４Ｙ及びトナー貯留部１０６Ｙ内が負圧になると、外部からのエアー流入が、図中矢印で示したように、気密性に劣るボトル部１０１Ｙとキャップ部１０５Ｙとの間で起こる。具体的には、エアーが、キャップ部１０５Ｙの内側と、これに挿入されたボトル部１０１Ｙの外側との間を経由して、ボトル部１０１Ｙとトナー貯留部１０６Ｙとの間に介在している通気性のリングシール１１８Ｙに達する。そして、リングシール１１８Ｙの内部を経由して、トナー貯留部１０６Ｙ内に流入する。挿入通路１１５Ｙと吸引ノズル７３Ｙとの間の気密性は、Ｏリング１１７Ｙによって高く保たれているので、ここからエアーを流入させて、吸引ノズル７３Ｙ内に吸い込ませるといった事態は生じない。このため、トナー貯留部１０６Ｙ内から吸引ノズル７３Ｙ内に向けての吸引力を良好に発揮させることができる。よって、トナー貯留部１０６Ｙ内からプリンタ本体側の現像装置に向けて安定した量のＹトナーを排出することができる。
【００５４】
なお、トナーカートリッジ１００Ｙの内部と外部との気密性が高すぎると、吸引ポンプによるトナー吸引に伴うカートリッジ内への外気流入が全く行われなくなり、過剰な負圧によってボトル部１０１Ｙを変形させてしまう。しかしながら、本プリンタのトナーカートリッジ１００Ｙでは、リングシール１１８Ｙとして通気性材料たるスポンジからなるものを用いている。このため、トナー吸引に伴ってトナー貯留部１０６Ｙが少し負圧になると、適量の外気がリングシール１１８Ｙ内を通ってトナー貯留部１０６Ｙに流れ込む。よって、過剰な負圧によるボトル部１０１Ｙの変形を回避することができる。
【００５５】
また、Ｙトナーを収容するＹ用のトナーカートリッジ１００Ｙについて詳しく説明したが、他色用のトナーカートリッジ（１００Ｍ，Ｃ，Ｋ）も同様の構成になっている。
【００５６】
図１１は、トナー補給装置とその周囲構成とを示す斜視図である。トナー補給装置７０は、カートリッジ載置台７７、４つのカートリッジ連結部７１Ｙ，Ｍ，Ｃ，Ｋと、４つの吸引ポンプ７８Ｙ，Ｍ，Ｃ，Ｋとを有している。カートリッジ載置台７７は、４つのトナーカートリッジ１００Ｙ，Ｍ，Ｃ，Ｋを平行載置するための４つの半円筒状の窪みを有している。カートリッジ載置台７７の下方には、４つの現像装置がそれぞれ対応する色のトナーカートリッジの直下に位置するように配設されている。なお、同図においては、便宜上、４つの現像装置のうち、Ｙ用の現像装置５Ｋだけを示している。
【００５７】
図示しないプリンタ筐体の側面には、カートリッジ交換作業用の開閉扉が設けられており、この開閉扉を開くと、筐体内のトナー補給装置７０が図中の奥側で露出する。作業者は、開閉扉から、トナーカートリッジ１００Ｙ，Ｍ，Ｃ，Ｋをボトル長手方向に押し込むようにして、カートリッジ載置台７７上をスライド移動させることで、トナー補給装置７０にセットする。
【００５８】
カートリッジ載置台７７の一端部には、４つのカートリッジ連結部７１Ｙを支持するための連結部支持板７９が立設せしめられている。カートリッジ載置台７７上に載置されたトナーカートリッジ１００Ｙ，Ｍ，Ｃ，Ｋの図示しないノズル挿入通路には、カートリッジ連結部７１Ｙ，Ｍ，Ｃ，Ｋの吸引ノズルがそれぞれ差し込まれている。カートリッジ連結部７１Ｙ，Ｍ，Ｃ，Ｋの搬送管７２Ｙ，Ｍ，Ｃ，Ｋの端には、吸引ポンプ７８Ｙ，Ｍ，Ｃ，Ｋが連結されている。各吸引ポンプ７８Ｙ，Ｍ，Ｃ，Ｋの直下には、各現像装置のトナー補給口Ｅが位置している。
【００５９】
図１２は、４つの吸引ポンプ７８Ｙ，Ｍ，Ｃ，Ｋのうち、Ｙ用の吸引ポンプ７８Ｙを示す斜視図である。この吸引ポンプ７８Ｙは、一軸偏芯スクリューポンプ（通称モーノポンプ）と呼ばれる方式のものである。そのポンプ部８０Ｙは、金属や剛性の高い樹脂などで偏芯２条スクリュー形状に加工されたロータ８１Ｙ、ゴム等の材料に２条スクリュー状の空洞が形成されたステータ８２Ｙ、これらを内包する樹脂製のホルダ等から構成される。吸引ポンプ７８Ｙは、このポンプ部８０Ｙの他に、吐出部８３Ｙ、ロータ８１Ｙを回転させるモータ８４Ｙ等も有している。２条スクリュー形状のロータ８１Ｙがステータ８２Ｙ内で回転すると、ポンプ部８０Ｙの吸引側（図中右側）に負圧が発生する。この負圧により、Ｙ用のトナーカートリッジ１００Ｙ内のＹトナーが、搬送管７２Ｙ等を介して吸引される。そして、吸引ポンプ７８Ｙのポンプ部８０Ｙに至り、ステータ８２Ｙ内を通って吐出部８３Ｙから吐出される。吐出されたＹトナーは、吐出部８３Ｙの直下に位置する現像装置のトナー補給口を通して、Ｙ用の現像装置に補給される。なお、他色用の現像装置においても、同様にしてトナーが補給される。
【００６０】
これまで説明してきたように、トナーカートリッジ１００Ｙ，Ｍ，Ｃ，Ｋのボトル部としては、その回転軸線方向に細長い円筒状のものを用いている。かかるボトル部を用いることで、角張った形状のものを用いる場合に比べて、回転周面を容易に支えることができる。具体的には、ボトル部は、その一端側がホルダー部によって回転自在に保持されているだけであると、もう一端側がトナーの重みによって撓もうとするため、ホルダー部による保持部に相当な負荷がかかって、破壊するおそれがある。このため、カートリッジ載置台上では、ボトル部のもう一端側を台上で支える必要がある。このように台上で支える場合、ボトル部の周面が角張っていると、ボトル部を載置台上でバウンドさせてしまう。しかし、本実施形態のようにボトル部として円筒状のものを用いれば、ボトル部をバウンドさせることなく、台上で支えることができる。
【００６１】
先に図８に示したように、本プリンタのトナーカートリッジ１００Ｙにおいては、ホルダー部１０２Ｙを次のように構成している。即ち、ボトル部１０１Ｙ内から送られてくるＹトナーを貯留するトナー貯留部１０６Ｙ、及び、これと挿入通路１１５Ｙとを連通させる連通路１１４Ｙを、挿入通路１１５Ｙと連通路１１４Ｙとトナー貯留部１０６Ｙとがボトル回転軸線方向と直交する方向に順に並ぶ位置関係で設けている。かかる構成では、ボトル部１０１Ｙからトナー貯留部１０６Ｙに送り込んだＹトナーを、自重により、連通路１１４Ｙを通して挿入通路１１５Ｙ内の吸引ノズル７３Ｙ内に落とし込むことができる。
【００６２】
なお、トナーカートリッジ１００Ｙ，Ｍ，Ｃ，Ｋとしては、新品のカートリッジのボトル部にＹ，Ｍ，Ｃ，Ｋトナーが充填された未再生カートリッジの他に、再生カートリッジを用いることも可能である。この再生カートリッジは、使用済みのカートリッジのボトル部内に、Ｙ，Ｍ，Ｃ，Ｋリフィルトナーが再充填されて再生されたものである。
【００６３】
図１３、図１４、図１５、図１６は、Ｍ、Ｃ、Ｋ、Ｙ用のトナーカートリッジ１００Ｍ、Ｃ、Ｋ、Ｙにおけるホルダー部のボトル回転軸線方向における投影像の輪郭を示す模式図である。何れの図においても、ボトル後端側からボトル先端側に向けて、ホルダー部を投影した場合の投影像の輪郭を示している。これらの図からわかるように、互いに異なる色のトナーを収容している４つのトナーカートリッジ間では、それぞれ、ホルダー部のボトル回転軸線方向における投影像の形状が異なっている。具体的には、何れの投影像も、真円の形状の図中左上に、矩形状の凸部が形成されている。この凸部は、ホルダー部外周面から突出する図示しないガイド部材によって形成されている。これら矩形状の凸部の形状が、各ホルダー部間でそれぞれ微妙に異なっているのである。
【００６４】
図１７は、トナー補給装置（７０）の側板を示す正面図である。プリンタ本体の筺体の側板に設けられた図示しない開閉扉をあけると、図示したトナー補給装置の側板が露出する。この側板には、図示のように、４つの円状の開口を有しており、それらの形状は、互いに異なっている。図中左側から数えて１、２、３、４番目の開口は、それぞれ、Ｍ、Ｃ、Ｋ、Ｙ用のトナーカートリッジを受け入れるためのものである。１、２、３、４番目の開の形状は、それぞれ、図１３、図１４、図１５、図１６に示したホルダー部の投影像の輪郭形状と同じになっている。このため、たとえば、図中最も左側の開口に対して、ホルダー部の投影像の輪郭が図１６に示した形状になっているＹ用のトナーカートリッジを挿入しようとしても、ホルダー部が開口の周囲に引っ掛かって、その挿入が阻止される。そして、これにより、カートリッジ載置台の所定色用の載置部に対して、異なる色用のトナーカートリッジをセットしまうといった事態が回避される。
【００６５】
次に、これまで説明してきたトナーカートリッジ１００Ｙの使用済みのものを再生するためのトナーカートリッジ再生方法の実施形態について説明する。
トナーカートリッジ１００Ｙを再生する方法は、大きく分けて２通りある。これらを、第１再生方法、第２再生方法として、以下に説明する。
【００６６】
［第１再生方法］
第１再生方法では、先に図７に示したボトル部１０１Ｙ内のＹトナーが空になって使用済みとなったトナーカートリッジ１００Ｙを、分解工程、再充填工程、再組立工程という３つの工程の実施によって再生する。分解工程では、ホルダー部１０２Ｙに回転自在に係合しているボトル部１０１Ｙを、専用の工具によってホルダー部１０２Ｙから取り外す。これにより、ボトル部１０２Ｙの先端に設けられたトナー排出用の開口が露出したら、次に、再充填工程において、その開口を通してボトル部１０１Ｙ内にＹリフィルトナーを再充填する。そして、再組立工程にて、再充填後のボトル部１０１Ｙの先端部を、ホルダー部１０２Ｙに係合せしめて、トナーカートリッジ１０１Ｙを再び組み立てる。
【００６７】
［第２再生方法］
第２再生方法では、使用済みとなったトナーカートリッジ１００Ｙを、穴あけ工程、再充填工程、穴塞ぎ工程という３つの工程の実施によって再生する。ボトル部１０１Ｙは、まず、穴あけ工程にて、ボトル部１０１Ｙの後端側の端面（底）に対してドリル加工等による穴があけられる。次いで、再充填工程にて、その穴を通してＹリフィルトナーが再充填された後、穴塞ぎ工程にて、ボトル部１０１Ｙを構成している樹脂材料と同じ材料の溶着等により、穴が塞がれる。なお、穴空け工程にて形成した穴を、シールフィルムの貼り付けによって塞いでもよい。また、新品のトナーカートリッジ１００Ｙを、ボトル部１０１Ｙの後端側の端面（底）に形成された開口が、シールフィルムの貼り付けによって塞がれたものにしておき、このシールフィルムを剥がしたり、このシールフィルムに穴をあけたりして穴開け工程を実施してもよい。また、穴あけ工程にて、穴をあける場所は、ボトル部１０１Ｙの底でなくてもよい。例えば、周面に穴をあけてもよい。
【００６８】
何れの再生方法においても、Ｙ用のトナーカートリッジ１００Ｙに限らず、他色用のトナーカートリッジを再生可能であることは言うまでもない。
【００６９】
これまで、各色毎に分けられた複数の潜像担持体を用いてフルカラー画像を形成するプリンタについて説明してきた。しかし、１つの潜像担持体にそれぞれ異なる色の単色トナー像を形成して中間転写体に順次重ね合わせ転写することで、フルカラー画像を形成する画像形成装置にも本発明の適用が可能である。また、単色トナー像だけを形成する画像形成装置にも本発明の適用が可能である。また、電子写真方式ではなく、直接記録方式によってトナー像を形成する画像形成装置にも本発明の適用が可能である。
【００７０】
以上、実施形態に係るプリンタのトナーカートリッジ１００Ｙにおいては、トナー収容器たるボトル部１０１Ｙとして、回転軸線方向に細長い円筒状のものを用いている。かかる構成では、上述した理由により、角張った形状のものを用いる場合に比べて、回転周面を容易に支えることができる。
【００７１】
また、ボトル部１０１Ｙ内から送られてくるトナーを貯留するトナー貯留部１０６Ｙ、及び、これと挿入通路１１５Ｙとを連通させる連通路１１４Ｙを、挿入通路１１５Ｙと連通路１１４Ｙとトナー貯留部１０６Ｙとがボトル回転軸線方向と直交する方向に順に並ぶ位置関係で、回転係合部材たるホルダー部１０２Ｙに設けている。かかる構成では、ボトル部１０１Ｙからトナー貯留部１０６Ｙに送り込んだＹトナーを、自重により、連通路１１４Ｙを通して挿入通路１１５Ｙ内の吸引ノズル７３Ｙ内に落とし込むことができる。
【００７２】
また、連通路１１４Ｙを、ボトル回転軸線方向と直交する方向に真っ直ぐに延びるように設けている。かかる構成では、途中で折れ曲がった構造にする場合とは異なり、トナー貯留部１０６Ｙから連通路１１４Ｙ内に自重によって落下させたＹトナーを、折れ曲がり箇所で滞らせることなく、挿入通路１１５Ｙ内の吸引ノズル７３Ｙ内に落とし込むことができる。
【００７３】
また、トナー貯留部１０６Ｙ側から挿入通路１１５Ｙ側に向けて先細になるテーパーを、連通路１１４Ｙに設けている。かかる構成では、Ｙトナーの落下上方側から下方側に向けて先細になるホッパを、連通路１１４Ｙ内に設けて、トナーをスムーズに吸引ノズル７３Ｙ内に落とし込むことができる。
【００７４】
また、連通路１１４Ｙにおける挿入通路１１５Ｙ側の開口を塞ぐ円柱状のシャッタ部材１１６Ｙを、挿入通路１１５Ｙ内におけるその開口を塞ぐ位置と、その開口を露出させる位置との間でスライド移動可能に設けている。かかる構成では、挿入通路１１５Ｙ内で連通路１１４Ｙの開口を塞いでいるシャッタ部材１１６Ｙを、挿入通路１１５Ｙ内に挿入した吸引ノズル７３Ｙの先端に突き当てながらスライド移動させることで、吸引ノズル７３Ｙの挿入と同時に前記開口をあける。そして、これにより、セット前のトナーカートリッジ１００Ｙにおける挿入通路１１５Ｙから外部へのトナー漏れを防止するとともに、カートリッジのセットに伴って、前記開口を自動であけて、トナー貯留部１０６Ｙ内から吸引ノズル７３Ｙ内へのトナー流入が可能な状態を生起せしめることができる。
【００７５】
また、管挿入部たるノズル挿入部１０４Ｙと、これの挿入通路１１５Ｙに挿入されたシャッタ部材１１６との間をシーリングするシール部材たるＯリング１１７Ｙを、挿入通路１１５Ｙ内壁に固定している。かかる構成では、挿入通路１１５Ｙの内壁と、これに挿入した吸引ノズル７３Ｙの外壁との隙間から、外部のエアーを吸引して、吸引ノズル７３Ｙのトナー受入口７４Ｙに吸い込ませてしまうことによるトナー吸引搬送性の低下を回避することができる。
【００７６】
また、先に図８に示したように、シール部材たるＯリング１１７Ｙを、挿入通路１１５Ｙ内における連通路１１４Ｙとの連通箇所よりもノズル挿入方向上流側の箇所と、ノズル挿入方向下流側の箇所とに設けている。かかる構成では、同図に示したトナーカートリッジ１００Ｙのように、挿入通路１１５Ｙのノズル受入側の端だけでなく、反対側の端を開口させた場合でも、通路内壁とノズル外壁との隙間からのエアー吸引によるトナー吸引搬送性の低下を回避することができる。
【００７７】
また、シャッタ部材１１６Ｙとして、吸引ノズル７３Ｙと同じ外径のものを用いているので、シャッタ部材１１６Ｙで連通口１１４Ｙの開口を塞いでいるときと、挿入通路１１５Ｙ内に吸引ノズル７３Ｙを挿入したときとで、ホルダー部１０２Ｙの外と、連通路１１４Ｙとの間の気密性を同様に維持することができる。そして、これにより、吸引ノズル７３Ｙ内が連通路１１４Ｙ内に挿入されたカートリッジ非セット時には、トナー貯留部１０６Ｙ内から連通路１１４Ｙを通した外部へのトナー漏れを良好に回避するとともに、カートリッジセット時には、エアー吸引によるトナー吸引搬送性の低下を良好に回避することができる。
【００７８】
また、実施形態に係るプリンタでは、互いに、同じプリンタにセットされ且つボトル部内に異なる色のトナーを収容している複数のトナーカートリッジ１００Ｙ，Ｍ，Ｃ，Ｋ間で、それぞれ、ホルダー部のボトル回転軸線方向における投影像の形状が異なるように、ホルダー部の形状を異ならせている。かかる構成では、図１３〜図１７を用いて説明したように、トナー補給装置７０のカートリッジ載置台７７における例えばＹ用のカートリッジセット位置に、Ｋ用のトナーカートリッジをセットしてしまうなど、カートリッジのセット位置間違えを回避することができる。
【図面の簡単な説明】
【００７９】
【図１】特許文献２に記載のトナー補給装置を示す概略構成図。
【図２】特許文献３に記載のトナーカートリッジを示す斜視図。
【図３】実施形態に係るプリンタを示す概略構成図。
【図４】同プリンタのＹ用のプロセスカートリッジを示す拡大構成図。
【図５】同プリンタのＹ用のトナーカートリッジを示す斜視図。
【図６】同プリンタのトナー補給装置におけるＹ用のカートリッジ連結部を示す斜視図。
【図７】同トナーカートリッジを示す分解斜視図。
【図８】同トナー補給装置にセットされる前の同トナーカートリッジにおける先端部を示す断面図。
【図９】同トナーカートリッジの先端部を示す分解斜視図。
【図１０】同トナー補給装置にセットされた状態の同トナーカートリッジにおける先端部を示す断面図。
【図１１】同トナー補給装置とその周囲構成とを示す斜視図。
【図１２】同トナー補給装置におけるＹ用の吸引ポンプを示す斜視図。
【図１３】Ｍ用のトナーカートリッジにおけるホルダー部のボトル回転軸線方向における投影像の輪郭を示す模式図。
【図１４】Ｃ用のトナーカートリッジにおけるホルダー部のボトル回転軸線方向における投影像の輪郭を示す模式図。
【図１５】Ｋ用のトナーカートリッジにおけるホルダー部のボトル回転軸線方向における投影像の輪郭を示す模式図。
【図１６】Ｙ用のトナーカートリッジにおけるホルダー部のボトル回転軸線方向における投影像の輪郭を示す模式図。
【図１７】同トナー補給装置の側板を示す正面図。
【符号の説明】
【００８０】
１Ｙ，Ｍ，Ｃ，Ｋ        プロセスカートリッジ（トナー像形成手段の一部）
２０                    光書込ユニット（トナー像形成手段の一部）
４０                    転写ユニット（トナー像形成手段の一部）
７０                    トナー補給装置
７１Ｙ                  カートリッジ連結部（位置決め部材）
７３Ｙ                  吸引ノズル（管部材）
７５Ｙ                  位置決めピン（凸部）
１００Ｙ，Ｍ，Ｃ，Ｋ    トナーカートリッジ
１０１Ｙ                ボトル部（トナー収容器）
１０２Ｙ                ホルダー部（回転係合部材）
１０４Ｙ                ノズル挿入部（挿入部）
１０５Ｙ                キャップ部（周面覆い部）
１０６Ｙ                トナー貯留部
１０７Ｙ                Ｏリング（非通気性シール部材）
１１１Ｙ                駆動受入ギヤ
１１４Ｙ                連通路
Ａ                      ギヤ露出用開口
【図１】
2006084755.tif 000003
【図２】
2006084755.tif 000004
【図３】
2006084755.tif 000005
【図４】
2006084755.tif 000006
【図５】
2006084755.tif 000007
【図６】
2006084755.tif 000008
【図７】
2006084755.tif 000009
【図８】
2006084755.tif 000010
【図９】
2006084755.tif 000011
【図１０】
2006084755.tif 000012
【図１１】
2006084755.tif 000013
【図１２】
2006084755.tif 000014
【図１３】
2006084755.tif 000015
【図１４】
2006084755.tif 000016
【図１５】
2006084755.tif 000017
【図１６】
2006084755.tif 000018
【図１７】
2006084755.tif 000019